(57)【特許請求の範囲】
【請求項１】
入射光を偏向する光偏向部材と、
前記光偏向部材の入射面側に配置される第１光透過部材と、
前記光偏向部材の出射面側に配置される第２光透過部材と、を備え、
前記第１光透過部材および第２光透過部材は、互いにヘイズ値が異なっており、
前記光偏向部材、前記第１光透過部材および前記第２光透過部材の少なくとも一つは、天地を識別する指標を有する採光具。
【請求項２】
前記指標は、当該採光具の周囲に取り付けられる枠体によって隠蔽される場所に設けられる請求項１に記載の採光具。
【請求項３】
前記指標は、前記光偏向部材、前記第１光透過部材および前記第２光透過部材の少なくとも一つの一部を切り欠いた切り欠き部を有する請求項１または２に記載の採光具。
【請求項４】
前記指標は、前記光偏向部材、前記第１光透過部材および前記第２光透過部材の少なくとも一つの面上に表記される請求項１または２に記載の採光具。
【請求項５】
前記指標は、前記光偏向部材、前記第１光透過部材および前記第２光透過部材の少なくとも一つの面上に取り付けられるラベル部材である請求項１または２に記載の採光具。
【請求項６】
前記指標は、前記光偏向部材、前記第１光透過部材および前記第２光透過部材の少なくとも一つの面上に設けられる凸部および凹部の少なくとも一つである請求項１または２に記載の採光具。
【請求項７】
前記指標は、天地方向を示す情報を含む請求項１乃至６のいずれかに記載の採光具。
【請求項８】
前記指標は、文字、記号および画像の少なくとも一つの情報を含む請求項１乃至６のいずれかに記載の採光具。
【請求項９】
前記情報は、天地方向に合わせた向きで印字、付着、凹状加工または凸状加工される請求項８に記載の採光具。
【発明の詳細な説明】
【技術分野】
【０００１】
本発明は、合わせガラスなどに適用可能な採光具に関する。
【背景技術】
【０００２】
太陽光などの外光の進行方向を変えることで、防眩性を担保しつつ採光性能を向上させることが可能な採光フィルムが提案されている（例えば、特許文献１参照）。この種の採光フィルムには、ベース層の内部にベース層とは異なる屈折率のルーバ部を設けたものがある。あるいは、基材層の上にプリズム体を列設したものもある。
【先行技術文献】
【特許文献】
【０００３】
【特許文献１】特開2013-155569号公報
【発明の概要】
【発明が解決しようとする課題】
【０００４】
採光フィルム内にルーバ部とプリズム体のどちらを設ける場合であっても、入射面側の構造と出射面側の構造とは異なるため、採光フィルムの表裏を間違って配置してしまうと、所望の採光性能が得られなくなる。
【０００５】
また、採光性能をより向上させるために、ルーバ部やプリズム体の断面形状を非対称にする場合がある。この場合、採光フィルムの天地を逆にして設置してしまうと、やはり所望の採光性能が得られなくなる。
【０００６】
本発明は、上述した課題を解決するためになされたものであり、その目的は、設置方向を簡易かつ正確に認識可能な採光具を提供することにある。
【課題を解決するための手段】
【０００７】
上記の課題を解決するために、本発明の一態様では、入射光を偏向する光偏向部材と、
前記光偏向部材の入射面側に配置される第１光透過部材と、
前記光偏向部材の出射面側に配置される第２光透過部材と、を備え、
前記第１光透過部材および前記第２光透過部材の少なくとも一つは、天地および表裏を識別する指標を有する採光具が提供される。
【０００８】
入射光を偏向する光偏向部材と、
前記光偏向部材の入射面側に配置される第１光透過部材と、
前記光偏向部材の出射面側に配置される第２光透過部材と、を備え、
前記第１光透過部材および第２光透過部材は、互いにヘイズ値が異なっており、
前記光偏向部材、前記第１光透過部材および前記第２光透過部材の少なくとも一つは、天地を識別する指標を有する採光具が提供される。
【０００９】
前記指標は、当該採光具の周囲に取り付けられる枠体によって隠蔽される場所に設けられてもよい。
【００１０】
前記指標は、前記光偏向部材、前記第１光透過部材および前記第２光透過部材の少なくとも一つの一部を切り欠いた切り欠き部を有していてもよい。
【００１１】
前記指標は、前記光偏向部材、前記第１光透過部材および前記第２光透過部材の少なくとも一つの面上に表記されてもよい。
【００１２】
前記指標は、前記光偏向部材、前記第１光透過部材および前記第２光透過部材の少なくとも一つの面上に取り付けられるラベル部材であってもよい。
【００１３】
前記指標は、前記光偏向部材、前記第１光透過部材および前記第２光透過部材の少なくとも一つの面上に設けられる凸部および凹部の少なくとも一つであってもよい。
【００１４】
前記指標は、天地方向を示す情報を含んでいてもよい。
【００１５】
前記指標は、文字、記号および画像の少なくとも一つの情報を含んでいてもよい。
【００１６】
前記情報は、天地方向に合わせた向きで印字、付着、凹状加工または凸状加工されてもよい。
【発明の効果】
【００１７】
本発明によれば、設置方向を簡易かつ正確に認識することができる。
【図面の簡単な説明】
【００１８】
【図１】第１の実施形態による採光具１の断面構造を示す図。
【図２】図１の採光具１を窓枠９に嵌めこんで作製した窓２０の外観図。
【図３】（ａ）〜（ｅ）は指標の第１態様を示す図。
【図４】（ａ）〜（ｃ）は指標の第２態様を示す図。
【発明を実施するための形態】
【００１９】
以下、図面を参照して本発明の実施の形態について説明する。なお、本件明細書に添付する図面においては、図示と理解のしやすさの便宜上、適宜縮尺および縦横の寸法比等を、実物から変更し誇張してある。
【００２０】
なお、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００２１】
また、本明細書において、「シート」、「フィルム」、「板」等の用語は、呼称の違いのみに基づいて、互いから区別されるものではない。したがって、例えば、「シート」はフィルムや板とも呼ばれ得るような部材も含む概念である。
【００２２】
さらに、本明細書において、「シート面（フィルム面、板面、パネル面）」とは、対象となるシート状の部材を全体的かつ大局的に見た場合において対象となるシート状部材の平面方向と一致する面のことを指す。以下に説明する実施形態においては、後述する光偏向部材、第１光透過部材および第２光透過部材はいずれも平行であるか、若干傾斜して配置される場合もあるが、本明細書では各層を総称してシート面と呼ぶこともある。また、本明細書において、シート状（フィルム状、板状、パネル状）の部材に対して用いる「法線方向」とは、当該部材のシート面への法線方向のことを指す。
【００２３】
（第１の実施形態）
図１は第１の実施形態による採光具１の断面構造を示す図、図２は図１の採光具１を窓枠９に嵌めこんで作製した窓２０の外観図である。図１の採光具１は、入射光を偏向する光偏向部材２と、この光偏向部材２の入射面側に配置される第１光透過部材３と、光偏向部材２の出射面側に配置される第２光透過部材４とを備えている。このように、図１の採光具１は、第１光透過部材３と第２光透過部材４の間に光偏向部材２を挟み込んだものであり、例えば採光機能付きの合わせガラスである。
【００２４】
光偏向部材２は、基材層５の上に配置される光制御層６と、光制御層６の上に配置される第１接着層７と、基材層５の光制御層６との接合面とは反対側の面に配置される第２接着層８とを有する。
【００２５】
第１光透過部材３は第１接着層７を介して光制御層６に接合され、第２光制御部材は第２接着層８を介して基材層５に接合されている。第１接着層７および第２接着層８の少なくとも一方は、２層以上の積層構造でもよい。
【００２６】
第１光透過部材３と第２光透過部材４は、可視光に対する透過性を有する材料であり、例えばガラス基材である。ここで、可視光とは、波長範囲が３８０ｎｍから７８０ｎｍの光である。本実施形態における第１光透過部材３と第２光透過部材４は、透明でもよいし、半透明でもよいが、ヘイズ値が同じか近似しており、外見上、第１光透過部材３と第２光透過部材４の区別がつかないことを想定している。
【００２７】
図１の光制御層６は、一方の面（入射面）６ａに沿って離隔して配置される複数の溝６ｂを有するベース部６ｃと、ベース部６ｃとは異なる屈折率を持ち複数の溝６ｂ内に配置される複数のルーバ部６ｄとを有する。ルーバ部６ｄの内部は空洞でもよいし、ベース部６ｃとは異なる屈折率の充填材料を充填してもよい。なお、図１では、光の入射面６ａに沿って複数の溝６ｂを形成しているが、図１の光制御層６とは逆に、光の出射面に沿って複数の溝６ｂを形成してもよい。
【００２８】
複数のルーバ部６ｄのうち少なくとも一部のルーバ部６ｄは、一方の面６ａに連なり互いに形状の異なる第１面６ｅおよび第２面６ｆを有する。ルーバ部６ｄは、少なくともベース部６ｃとの界面のうち第１面６ｅにおいて、ベース部６ｃとルーバ部６ｄとの屈折率差に基いて光の進行方向を変化させる。図１では、図示されたすべてのルーバ部６ｄが形状の異なる第１面６ｅおよび第２面６ｆを有する非対称構造の例を示しているが、一部のルーバ部６ｄについては、一方の面６ａに連なる２つの面の形状が等しい対称構造であってもよい。
【００２９】
ルーバ部６ｄの第１面６ｅと第２面６ｆの形状を互いに相違させる例としては、例えば、以下の（ａ）〜（ｄ）が考えられる。
【００３０】
（ａ）第１面６ｅと第２面６ｆのサイズおよび傾斜角度の少なくとも一方が異なる。
【００３１】
（ｂ）第１面６ｅと第２面６ｆの曲率が互いに相違する。例えば、いずれか一方の面は、平面で、他方は曲面の場合や、両方の面ともに曲面だが曲率が相違する場合などである。
【００３２】
（ｃ）第１面６ｅと第２面６ｆの少なくとも一方が傾斜角度の異なる複数の面部からなり、これらの面部の総数が第１面６ｅと第２面６ｆとで異なる。
【００３３】
（ｄ）第１面６ｅと第２面６ｆの少なくとも一方に凹凸があり、その凹凸の有無または凹凸の位置や数が第１面６ｅと第２面６ｆとで異なる。例えば、第１面６ｅは反射しやすいように滑らかな面で構成され、第２面６ｆは反射しにくいように粗面化されている場合などである。
【００３４】
図１では、第１面６ｅを傾斜面、第２面６ｆを一方の面６ａの法線方向に延びる面としているが、第１面６ｅと第２面６ｆの形状は図１に図示したものに限定されない。ただし、本実施形態では、太陽光等の外光を第１面６ｅに入射させて、この入射光を第１面６ｅで反射させて屋内の斜め上方に跳ね上げることを想定している。よって、第１面６ｅは外光の跳ね上げ効果が最大になるような傾斜角度や形状に設定するのが望ましい。実際には、採光具１の設置方向や設置高さや太陽光の入射範囲などに応じて、最適な第１面６ｅの傾斜角度や形状は変わりうる。一方、第２面６ｆは、太陽光が直接入射される面ではないため、例えば第１面６ｅよりも狭い面積で形成され、かつ第１面６ｅへの太陽光の入射の妨げにならないような形状で形成される。
【００３５】
このように、本実施形態による採光具１は、各ルーバ部６ｄの第１面６ｅに太陽光を入射させることを前提しているため、採光具１を窓として適用する場合、各ルーバ部６ｄの第１面６ｅを第２面６ｆより上方に配置する必要がある。なお、上記では第１面６ｅを第２面６ｆよりも上方にし、入射光を屋内の斜め上方に跳ね上げることを意図する場合について説明を行ったが、これに限るものではない。つまり、第１面６ｅを第２面６ｆよりも下方にし、入射光を第１面６ｅで反射させて屋内の斜め下方に跳ね下げてもよい。このように第１面６ｅと第２面６ｆとを用いて、入射光を第１面６ｅにより所望の方向へ偏向することが可能である。
【００３６】
ルーバ部６ｄの第１面６ｅと第２面６ｆは、光制御層６の一方の面に入射された光を所望の方向に偏向できるように最適な角度およびサイズに設計されている。例えば、第１面６ｅを天方向に、第２面６ｆを地方向に配置することを前提として光制御層６を設計した場合には、天地方向を逆にして光制御層６を設置したとすると、所望の方向に入射光を偏向させることができなくなる。
【００３７】
このように、ルーバ部６ｄの第１面６ｅと第２面６ｆが非対称に配置されている場合には、光制御層６の天地方向を間違えないようにする必要がある。ところが、光制御層６内のルーバ部６ｄは、透明材料で形成されることが多く、しかも各ルーバ部６ｄの幅は数十μｍ程度しかないため、目視で各ルーバ部６ｄの第１面６ｅと第２面６ｆを識別することは困難である。
【００３８】
また、本実施形態における第１光透過部材３と第２光透過部材４は、ヘイズ値が同一か近似しており、見た目上の区別がつかないため、どちらの面を光の入射方向に配置するか、判断に迷うおそれがある。図１に示すように、光制御層６は、一方の面６ａを光の入射方向に配置することを前提として、ルーバ部６ｄの第１面６ｅと第２面６ｆの角度とサイズを設計している。よって、一方の面６ａとは反対側の面から光を入射すると、元々想定した方向に光を偏向させることはできない。
【００３９】
このように、ルーバ部６ｄの第１面６ｅと第２面６ｆが非対称に配置されている場合には、光制御層６の天地方向だけでなく、表裏方向も間違えないようにする必要がある。ところが、上述したように、第１光透過部材３と第２光透過部材４は、見た目ではほとんど区別がつかないため、光制御層６の表裏を目視で識別するのは困難である。
【００４０】
図１の採光具１を合わせガラスに適用し、この合わせガラスを用いて窓を作製する場合、合わせガラスを窓枠９に嵌めこむ作業が必要となる。窓枠９には鍵などが取り付けられることから、構造的に天地の区別があるのが一般的であり、合わせガラスを窓枠９に嵌めこんだ状態では容易に天地の方向を識別することができる。よって、窓枠９に合わせガラスを嵌めこむ作業を行う際に、合わせガラスの天地方向を逆にして窓枠９に嵌めこんでしまうと、その状態のまま窓が作製されることになり、本来意図した所望の光偏向特性が得られなくなる。
【００４１】
そこで、本実施形態による採光具１は、天地および表裏を外見上識別可能な指標１０を備えている。この指標１０は、光偏向部材２、第１光透過部材３および第２光透過部材４の少なくとも一つに設けられている。光偏向部材２、第１光透過部材３および第２光透過部材４はいずれも、可視光の透過性を有するため、いずれか一つの部材のみに指標１０が設けられても、その指標１０は他の部材を通して外側から視認可能となる。よって、どの部材に指標１０を設けてもよく、また複数の部材に同一または別個の指標１０を設けてもよい。
【００４２】
指標１０は、採光具１の外観および光偏向性能に影響を与えない場所に設けるのが望ましい。上述したように、採光具１を合わせガラスに適用した場合、指標１０に従って天地方向を識別した状態で、合わせガラスを窓枠９に嵌めこむ作業を行い、窓枠９に嵌めこんだ後は指標１０は不要となる。よって、指標１０は、窓枠９により隠蔽される部分に設けるのが望ましい。例えば、図２は、窓枠９内の地面側に指標１０を設ける例を示している。
【００４３】
以下、指標１０の具体的な形態の代表例について順に説明するが、指標１０は下記に示すものに限定されない。天地および表裏の識別が可能な形態であれば、指標１０の具体的な形態は問わない。
【００４４】
（指標１０の第１態様）
指標１０の第１態様は、切り欠き部１１である。切り欠き部１１は、採光具１内の光偏向部材２、第１光透過部材３および第２光透過部材４の少なくとも一つの部材の一部を切り欠いたものである。例えば、第１光透過部材３と第２光透過部材４とで挟まれる光偏向部材２の一部を切り欠いた場合、切り欠いた端面のエッジが第１光透過部材３と第２光透過部材４を通して視認できるため、光偏向部材２だけを切り欠いてもよい。また、視認性を向上させるために、切り欠いた端面を一種類以上の無彩色または有彩色で色づけしてもよい。
【００４５】
光偏向部材２、第１光透過部材３および第２光透過部材４の少なくとも一つを切り欠く際には、角部を切り欠くのが望ましい。角部を切り欠く作業は、切削具や研磨処理により、比較的容易に行うことができるためである。
【００４６】
図３（ａ）は、採光具１内の光偏向部材２、第１光透過部材３および第２光透過部材４の少なくとも一つの天側の２つの角部を切り欠いた例、図３（ｂ）は天側の１つの角部を切り欠いた例を示している。図３（ａ）と図３（ｂ）では、地面側の角部は切り欠いていないため、切り欠き部１１のある方が天側であることを容易に認識できる。
【００４７】
図３（ｃ）は地面側の２つの角部を切り欠いた例、図３（ｄ）は地面側の１つの角部を切り欠いた例を示している。図３（ｃ）と図３（ｄ）では、天側の角部は切り欠いていないため、切り欠き部１１のない方が天側であることを容易に認識できる。
【００４８】
なお、図３（ｃ）と図３（ｄ）のように、４つの角部のうち一つだけに切り欠き部１１を設けている場合で、かつ採光具１の４つの端面の長さが同一の場合、天地を認識できないことが考えられる。この場合、切り欠き部１１を左端か右端のどちらに配置するかを予め決めておくことで、天地を正しく認識可能となる。
【００４９】
図３（ｅ）は、天側の２つの角部に第１切り欠き部１１を設けるとともに、地面側の２つの角部に第１切り欠き部１１とは形状の異なる第２切り欠き部１１を設ける例を示している。この場合、天側には必ず第１切り欠き部１１が形成されるものと予め決めておけば、切り欠き部１１の形状の違いにより、天側と地面側を容易に識別できる。
【００５０】
図３（ａ）〜図３（ｄ）のように、角部に切り欠き部１１を設ける場合、例えば切り欠き部１１が光偏向部材２のみに設けられる場合は、採光具１の表裏を識別することはできない。よって、図３（ａ）〜図３（ｄ）のような切り欠き部１１を指標１０として設ける場合は、第１光透過部材３と第２光透過部材４のいずれか一方に切り欠き部１１を設けるのが望ましい。例えば、第１光透過部材３のみに切り欠き部１１があれば、切り欠き部１１がある側が表側であると認識できる。また、第２光透過部材４のみに切り欠き部１１があれば、切り欠き部１１がある側が裏側であると認識できる。
【００５１】
一方、図３（ｅ）のように、形状の異なる２種類の切り欠き部１１を設ける場合は、そのうちの特定の一種類を表側の第１光透過部材３か裏側の第２光透過部材４に設けるものと決めておけば、それにより表裏の識別を行うことができる。
【００５２】
このように、図３（ａ）〜図３（ｅ）に示す切り欠き部１１を指標１０として設ける場合は、切り欠き部１１のある側が天側または地面側で、かつ表側または裏側であることを予め決めておくことで、採光具１の天地方向と表裏方向を正しく識別することができる。
【００５３】
なお、図３（ａ）〜図３（ｅ）は、角部に切り欠き部１１を設ける例を示したが、切り欠き部１１を設ける位置は必ずしも角部には限らない。例えば、採光具１を構成する少なくとも一つの部材の天側および地面側の少なくとも一方の端面上の任意の場所に切り欠き部１１を設けてもよい。また、切り欠き部１１の切欠面は、必ずしも平坦でなくてもよく、曲面や凹凸面でもよい。
【００５４】
（指標１０の第２態様）
指標１０の第２態様は、マーク１２、すなわち印または目印である。マーク１２は、採光具１内の光偏向部材２、第１光透過部材３および第２光透過部材４の少なくとも一つの表面に表記される。ここで、表記とは、マーク１２をインキ等で印字する場合や、マーク１２の材料を塗布または付着する場合や、裏面側に接着剤が付いたラベル部材からなるマーク１２を貼り付ける場合などを含む意味である。
【００５５】
図３（ａ）〜図３（ｅ）のような切り欠き部１１を設ける場合、採光具１を構成するすべての部材が透明または半透明であるため、切り欠き部１１の有無を判別しにくいという問題がある。これに対して、マーク１２の有無は容易に判別できるため、指標１０の有無の判別が容易になる。また、マーク１２は、その形状により、種々の情報を含ませることができるため、マーク１２が表す情報により、天地方向や表裏方向を認識しやすくなる。
【００５６】
マーク１２は、上述した切り欠き部１１と同様に、採光具１内の光偏向部材２、第１光透過部材３および第２光透過部材４の少なくとも一つに設けることができる。
【００５７】
図４はマーク１２の具体例を示す図である。図４（ａ）は採光具１内の少なくとも一つの部材の天側の２つの角部の近くに円形のマーク１２を設ける例を示し、図４（ｂ）は天側の縁部に沿って矢印形状のマーク１２を設ける例を示し、図４（ｃ）は天側の縁部に沿って三角形のマーク１２を設ける例を示している。これらマーク１２の具体的な形状は問わない。図４（ｂ）は矢印線の延びる方向がルーバ部６ｄの長手方向を表しており、天地方向の識別とともに、ルーバ部６ｄの伸びる方向も識別することができる。よって、採光具１１の４つの端面の長さが同一であったとしても、矢印線の延びる向きと矢印線の位置により、天地方向を一目で判断できるようになる。図４（ｃ）の場合、三角形の頂点方向が天側を表すことを直感的に理解できるため、必ずしもこのマーク１２が天側に配置されていなくてもよい。
【００５８】
このように、例えば図４（ｃ）のように、マーク１２の中に天側または地面側の方向を認識できる情報が含まれている場合は、マーク１２の配置場所についての制限が緩和される。
【００５９】
図４（ａ）〜図４（ｃ）に示したマーク１２の視認性を向上させるには、外形輪郭を印字等するだけでなく、その内部を一種類以上の有彩色または無彩色で塗りつぶしてよい。
【００６０】
上述したように、図４（ａ）〜図４（ｃ）に示すようなマーク１２を採光具１に設ければ、マーク１２の配置場所やマーク１２の形状により、天地方向の識別が可能であるが、表裏の識別はできない可能性がある。表裏の識別を行うには、例えば、表側の第１光透過部材３と裏側の第２光透過部材４のいずれか一方のみに図４（ａ）〜図４（ｃ）に示すマーク１２を設けて、マーク１２の有無で表裏の判別を行ってもよいし、あるいは、表側の第１光透過部材３と裏側の第２光透過部材４とにそれぞれ別個のマーク１２を設けて、マーク１２の種類により表裏の識別を行ってもよい。
【００６１】
（指標１０の第３態様）
指標１０の第３態様は、採光具１内の光偏向部材２、第１光透過部材３および第２光透過部材４の少なくとも一つの表面の一部を凹部状または凸部状に加工して形成される凹凸部である。なお、本明細書における凹凸部とは、凹部だけの場合、凸部だけの場合、凹部と凸部の両方を含む場合のいずれも含むものとする。凹凸部は、例えば第１光透過部材３と第２光透過部材４の少なくとも一方の裏面側の一部を押し上げて圧着する方式や、表面の一部に厚めにインク等を付着させる方式などで、形成可能である。
【００６２】
表側の第１光透過部材３と裏側の第２光透過部材４との少なくとも一方に凹凸部が形成されていれば、指で触って凹凸部の有無を認識できるため、指標１０の有無を容易に識別できる。また、第１光透過部材３と第２光透過部材４で挟まれた光偏向部材２のみに凹凸部が形成されている場合は、指で触っても凹部の有無を認識することはできないが、第１光透過部材３または第２光透過部材４を通して凹凸部の有無を視覚的に認識できるため、やはり指標１０の有無を容易に識別できる。
【００６３】
凹凸部の形成箇所は、上述した指標１０の第１態様または第２態様の配置場所と同様であればよく、凹凸部の形成箇所と形状により、採光具１の天地方向と表裏方向を識別することができる。
【００６４】
上述した指標１０の第１態様〜第３態様は、任意に組み合わせてもよいし、第１態様〜第３態様以外の指標１０も採用可能である。すなわち、採光具１の天地方向および表裏方向を識別可能な態様の指標１０であれば、どのような形状の指標１０を用いてもよい。
【００６５】
（光偏向部材２の製法）
次に、本実施形態に係る光偏向部材２の構成材料および製造工程について説明する。ベース部６ｃの材料としては、例えば、光硬化性プレポリマーと、反応性希釈モノマーと、金型離型剤と、光重合開始剤とを混合して均一化したものが用いられる。ベース部６ｃの材料は、紫外線硬化性樹脂を用いる代わりに、熱硬化性樹脂または電子線硬化性樹脂などの硬化性樹脂を用いてもよい。
【００６６】
ベース部６ｃに、図１に示すような溝６ｂを形成するには、例えば金型ロールが用いられる。金型ロールの表面は、溝６ｂの形状に合わせてバイトにより切削されて、各溝６ｂの形状に対応する複数の凸部が形成される。
【００６７】
凸部が形成された金型ロールとニップロールの間にベース部６ｃの組成物を充填して両ロールにて加圧し、例えば高圧水銀灯により紫外線を照射してベース部６ｃの組成物を硬化させて、ベース部６ｃが形成される。その後、剥離ローラにより、金型ローラからベース部６ｃを離型し、ベース部６ｃを含む中間部材を作製する。
【００６８】
基材層６の材料としては、例えばポリエチレンテレフタレート（ＰＥＴ）又はポリカーボネート（ＰＣ）等の透明のフィルムが用いられる。基材層６の厚みは５〜２００μｍ、好ましくは１０〜１５０μｍ、より好ましくは７５〜１５０μｍである。基材層６の厚みが５μｍより薄いと、生産時にしわがよったりして生産性が悪く、逆に、基材層６の厚みが２００μｍよりも厚いとコストが高くなり、例えばベース部６ｃを硬化させるときに基材層６越しに電離放射線を照射した場合に電離放射線のロスを生じるといった不具合が発生するおそれがある。
【００６９】
ベース部６ｃの溝６ｂに充填される充填物として、例えば、光硬化性プレポリマー等の紫外線硬化性樹脂と、反応性希釈モノマーと、光重合開始剤とを混合して均一化したものが用いられる。紫外線硬化性樹脂の代わりに、熱硬化性樹脂や電子線硬化性樹脂を用いてもよく、光散乱材を混合しても良い。
【００７０】
なお、光偏向部材２は、ベース部６ｃの内部に屈折率の異なるルーバ部６ｄを設けた構造に限定されるものではない。例えば、光偏向部材２の光入射面に沿って、複数のプリズム部材を配置した構造でもよい。
【００７１】
また、光偏向部材２には、採光機能を持たせるだけでなく、熱線吸収機能や紫外線吸収機能などの任意の光制御機能を持たせてもよい。これらの光制御機能は、光偏向部材２の基材の内部に種々の材料を含有させることで実現可能である。
【００７２】
このように、第１の実施形態では、採光具１を構成する光透過部材、第１光透過部材３および第２光透過部材４の少なくとも一つに、採光具１の天地方向および表裏方向を識別可能な指標１０を設けるため、例えば採光具１を窓枠９に組み込む作業を行う際に、天地方向および表裏方向を簡易かつ正確に把握できるようになり、採光具１の天地方向や表裏方向を間違えて設置してしまうミスを確実に防止できる。また、指標１０を、窓枠９により隠蔽される場所に配置することにより、採光具１を窓枠９に組み込んだ状態では指標１０が露出しなくなるため、指標１０が外観や採光性能に影響を与えるおそれはない。
【００７３】
（第２の実施形態）
上述した第１の実施形態では、第１光透過部材３と第２光透過部材４のヘイズ値が同じか近似しており、外見上、両部材の区別ができない例を説明したが、以下に説明する第２の実施形態は、第１光透過部材３と第２光透過部材４のヘイズ値が外見上の区別ができる程度に相違していることを特徴としている。
【００７４】
この場合、外見上で、第１光透過部材３と第２光透過部材４を区別することができるため、指標１０によって表裏を識別できるようにする必要はなく、天地方向のみを識別可能な指標１０を設ければよい。よって、第１の実施形態で説明した指標１０をより簡略化することができる。
【００７５】
具体的には、第２の実施形態による指標１０は、上述した第１〜第３態様の指標１０のいずれかを適用可能であるが、表裏を識別するための指標１０である必要はない。よって、例えば、第１光透過部材３と第２光透過部材４の両方に指標１０を設ける必要はなく、片方だけ、あるいは光偏向部材２のみに指標１０を設ければよい。
【００７６】
本発明の態様は、上述した個々の実施形態に限定されるものではなく、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。
【符号の説明】
【００７７】
１  採光具、２  光偏向部材、３  第１光透過部材、４  第２光透過部材、５  基材層、６  光制御層、７  第１接着層、８  第２接着層、９  窓枠、１０  指標、１１  切り欠き部、１２  マーク、２０  窓
【図１】
0006497019.tif 000002
【図２】
0006497019.tif 000003
【図３】
0006497019.tif 000004
【図４】
0006497019.tif 000005